(57)【特許請求の範囲】
【請求項１】
値下げ時に、値下げ商品の表面に貼付された大略四角形の元売価ラベルに端寄りに詰めて付された元売価バーコードと、該元売価バーコードに隣接して併記された商品名、加工日、消費期限、製造者、販売者、賞味期限、原材料名、価格やＰＲなどの有用情報から、バーコード読み取り装置を備えたラベル発行装置で元売価バーコードを読み取り、この元データを加工編集して印字発行し、値下げ商品の表面に、前記元売価ラベルのバーコードに掛かるように貼り付け、精算時に元売価バーコードをレジのバーコード読み取り装置で読み取り不能とする値下げ価格バーコードラベルにおいて、
大略四角形で、少なくとも値下げ価格情報が値下げ価格バーコードとして印字されるラベル本体と、
該ラベル本体から突出するように一体形成され、ラベル本体を前記元売価ラベルの縁に沿わせて貼り付けることにより、元売価バーコードの一部を覆い隠して読み取り不能にし、元売価バーコードに隣接する前記有用情報は覆い隠さない略四角形の目隠し部とを備え、
前記目隠し部外周のうちラベル本体から突出する二つの辺は、ラベル本体の一辺と直交すると共に互いに平行であるとともに、
該目隠し部には、ラベル本体から突出した二つの辺と平行な切り取り線を一または複数条設けてあり、
目隠し部のラベル本体から突出した二つの辺の間隔が元売価バーコードの高さより大きい場合には前記切り取り線から目隠し部の不要部分を切り取って目隠し部を元売価バーコードの高さに適合させ、元売値バーコードに隣接する有用情報を覆い隠さないように調整できることを特徴とする値下げ価格バーコードラベル。
【発明の詳細な説明】
【技術分野】
【０００１】
本発明は、小売り流通業界で、客寄せのために行われる商品の値下げ（通称「マークダウン」、「見切」などとも呼ばれる）を行う際に適した値下げ価格バーコードラベルに関するものである。
【背景技術】
【０００２】
マークダウンをアナウンスしたにも拘わらずマークダウンが実施されずに信用を落とすことを防止する手段の一つとして、マークダウンの表示の外、商品の実質的に値下げ前の価格情報を含んだバーコードが、誤ってレジで読み込まれないようにするために、そのバーコードの少なくとも一部を目隠しして、そのバーコードを読み込もうとした時には、エラーを発して、値下げ価格バーコードを読み取らなければならないことを気付かせるよう仕向けることが行われている。
【０００３】
特許文献１には、少なくとも値下げ価格情報を含んだバーコードが印字された値下げ価格バーコードラベルに、ラベル本体から分離して値下げ前価格バーコードの一部を隠蔽するように貼り付けることができる目隠し片を、スリット（切れ目）を介して同一の台紙上に剥離可能に仮着して設けた技術が記載されている。
しかし、同一の台紙上に仮着されているとはいえ、目隠し片の剥離は別途行わなければならず、元売価バーコードの高さ（天地寸法）と目隠し片の大きさを適合させるために、常に両手で作業しなければならないという不都合が生じる。
【０００４】
【特許文献１】特開２００６−３３０６７３号公報
【発明の開示】
【発明が解決しようとする課題】
【０００５】
本発明は上記従来の課題に鑑みなされたものであり、本発明の目的は、目隠し部で元価格のバーコードのみを覆い隠せる場合には使用しないが、元価格のバーコード以外の有用な表示（製造者、販売者、原材料、内容量、賞味期限など）が目隠し部により覆い隠されてしまう場合には、目隠し部の一部を切り取り線から分離して、元価格バーコードの少なくとも一部のバーを完全に覆い、元価格のバーコード以外の有用な表示は覆い隠さないように調整できる機能を持たせた値下げ価格バーコードラベルを提供することにある。
【課題を解決するための手段】
【０００６】
上記課題を達成するためになされた本発明の値下げ用バーコードラベルは、値下げ時に、値下げ商品の表面に貼付された大略四角形の元売価ラベルに端寄りに詰めて付された元売価バーコードと、該元売価バーコードに隣接して併記された商品名、加工日、消費期限、製造者、販売者、賞味期限、原材料名、価格やＰＲなどの有用情報から、バーコード読み取り装置を備えたラベル発行装置で元売価バーコードを読み取り、この元データを加工編集して印字発行し、値下げ商品の表面に、前記元売価ラベルのバーコードに掛かるように貼り付け、精算時に元売価バーコードをレジのバーコード読み取り装置で読み取り不能とする値下げ価格バーコードラベルにおいて、大略四角形で、少なくとも値下げ価格情報が値下げ価格バーコードとして印字されるラベル本体と、該ラベル本体から突出するように一体形成され、ラベル本体を前記元売価ラベルの縁に沿わせて貼り付けることにより、元売価バーコードの一部を覆い隠して読み取り不能にし、元売価バーコードに隣接する前記有用情報は覆い隠さない略四角形の目隠し部とを備え、前記目隠し部外周のうちラベル本体から突出する二つの辺は、ラベル本体の一辺と直交すると共に互いに平行であるとともに、該目隠し部には、ラベル本体から突出した二つの辺と平行な切り取り線を一または複数条設けてあり、目隠し部のラベル本体から突出した二つの辺の間隔が元売価バーコードの高さより大きい場合には前記切り取り線から目隠し部の不要部分を切り取って目隠し部を元売価バーコードの高さに適合させ、元売値バーコードに隣接する有用情報を覆い隠さないように調整できることを特徴としている。
【０００７】
上記構成によれば、目隠し部がラベル本体から突出しているので、値下げ価格バーコードラベルを値下げ前価格バーコードに隣接して貼り付けるだけで、目隠し部により値下げ前価格バーコードの一部を覆い隠して読み取り不能にでき、誤って値引き前の価格情報を含むバーコードをスキャンしてしまうのを防止できる。
そして、前記切り取り線は、目隠し片で元価格のバーコードのみを覆い隠せる場合には使用しないが、元価格のバーコード以外の有用な表示（製造者、販売者、原材料、内容量、賞味期限など）が目隠し部により覆い隠されてしまう場合には、目隠し部の一部を切り取り線から分離して、元価格バーコードの少なくとも一部のバーを完全に覆い、元価格のバーコード以外の有用な表示は覆い隠さないように調整できる。
【発明の効果】
【０００８】
本発明によると、元売価ラベルのフォーマット（レイアウト）が多少変更されたり、ばらつきをもっていても、１種類または、元売価ラベルよりも少ない種類の値下げ価格バーコードラベルにて、元売価バーコードのみを読み取り不能にして、他の有用情報は隠さないように、値引き操作で柔軟な対応ができる。
【発明を実施するための最良の形態】
【０００９】
以下、添付の図１ないし図７に基づき実施の形態について詳述する。ここで、図１は本発明の第一実施の形態に係る値下げ価格バーコードラベルを示す正面図、図２は図１中の矢示II−II方向断面図、図３は図１の値下げ価格バーコードラベルの一の貼り付け方法の説明図、図４は図１の値下げ価格バーコードラベルの他の貼り付け方法の説明図、図５は第二の実施の形態による値下げ価格バーコードを示す正面図、図６は図５の値下げ価格バーコードラベルの一の貼り付け方法の説明図、図７は図５の値下げ価格バーコードラベルの他の貼り付け方法の説明図である。
【００１０】
以下の実施形態では、店内で使用されるNON PLU 13桁のバーコード体系に従ってバーコードが付されたラベルについて説明する。なお、説明するラベルの裏面には粘着剤が設けられており、ラベルは剥離用の台紙の上に配列された状態でラベル発行装置（ラベルプリンタなど）から発行される。
【００１１】
図３中の元売価ラベルＬ１は、商品（不図示、「牛肩  小間切れ」肉）に貼り付けられ、その表面には商品名、加工日、消費期限、価格、製造者、販売者、等の有用情報と、値下げ前の価格情報を含んだ元売価バーコード１が表示されている。
【００１２】
Ｌ２は本発明にかかる値下げ価格バーコードラベルを示す。該値下げ価格バーコードラベルＬ２は、値下げ価格情報を含んだバーコード２が印字されたラベル本体３と、該ラベル本体３から突出するように一体形成された目隠し部４とを備えている。
【００１３】
また、ラベル本体３には、値下げ価格に関するバーコード情報の他、値下げ価格に関する視認情報５も記録されている。この視認情報５を表示する方法としては、見切後価格（値下げ後の価格自体）を表示する方法や、見切幅（「円引き」や「％引き」などの値下げの幅）を表示する方法などがある。
【００１４】
６は前記目隠し部４に、目隠し部４を元売価バーコード１の高さ（天地）方向寸法に適合させるために、形成された切り取り線である。この切り取り線６から不要部分７を切り取ることにより、元売価ラベルＬ１のフォーマット（レイアウト）が多少変更されたり、ばらつきをもっていた場合でも、１種類か、または元売価ラベルＬ１よりも少ない種類の値下げ価格バーコードラベルＬ２で、元売価バーコード１のみを読み取り不能にして、他の有用情報は隠さないように、値引き操作で柔軟な対応ができる。
【００１５】
上記値下げ価格バーコードラベルＬ２は、バーコード読み取り装置（スキャナ）を備えたラベル発行装置で元売価ラベルＬ１を読み取り、この元データを加工編集して印字発行される。
【００１６】
また、前記バーコード２は、値引き操作時にスキャナ読み取りで取得された元売価ラベルＬ１に記載のデータと、このデータにラベル発行装置で加工したデータ（即ち、値下げ価格）を追記することにより構成されている。即ち、バーコード２は、元売価バーコード１と同一桁数のコード情報を網羅している。
【００１７】
そして、この値下げ価格バーコードラベルＬ２を用いてマークダウンを行うには、図３の如く、ラベル本体３を値下げ前価格のバーコードラベルＬ１の縁に沿わせて貼り付ける。このとき、目隠し部４の貼付位置が確実に値下げ前価格のバーコード１の先頭部分を覆い隠すようにしてこれを読み取り不能にする。
【００１８】
そして、図４のように目隠し部４が元売価バーコードの天地寸法より大きい場合には、切り取り線６から不要部分７を切り取ることにより、目隠し部４の大きさを元売価バーコードの天地寸法に適合させる。
【００１９】
レジのオペレータが、商品コードを含むバーコードをスキャナで読み取ることにより、見切後の商品価格がレジスタに入力される。したがって、オペレータがバーコードをレジで読み取らせるだけで同時に値引きも行うことができ、レジにおける値引き忘れを防止できる。しかも、商品についての値下げ前の情報を知ることもできるから、売上げの管理を行ったり、商品コードに応じた商品名を表示したり、レジスタのプリンタでレシートに印字することもできる。
【００２０】
以上、第一の実施の形態によると、元売価ラベルのフォーマット（レイアウト）が多少変更されたり、ばらつきをもっていても、１種類の値下げ価格バーコードラベルにて、元売価バーコードのみを読み取り不能にして、他の有用情報は隠さないように、値引き操作で柔軟な対応ができる。
【００２１】
次に、図５ないし図７は第二の実施の形態であり、本実施の形態の特徴は前述した第一の実施の形態における切り取り線６に替えて、目隠し部４のみに２本の切り取り線１０を形成したことにある。
本実施の形態による作用効果は上述した第一の実施の形態とほぼ同様であるが、特に本形態によると、ラベル本体３の記載面積を減少させることなく、目隠し部４のみの大きさを二段階に調節できる。
なお、上記実施の形態による説明はあくまで例示であり、特許請求の範囲に記載した発明の要旨の範囲内で種々の変形が可能である。
【図面の簡単な説明】
【００２２】
【図１】本発明の実施の形態に係る値下げ価格バーコードラベルを示す正面図である。
【図２】図１中の矢示II−II方向断面図である。
【図３】図１の値下げ価格バーコードラベルの一の貼り付け方法の説明図である。
【図４】図１の値下げ価格バーコードラベルの他の貼り付け方法の説明図である。
【図５】第二の実施の形態による値下げ価格バーコードを示す正面図である。
【図６】図５の値下げ価格バーコードラベルの一の貼り付け方法の説明図である。
【図７】図５の値下げ価格バーコードラベルの他の貼り付け方法の説明図である。
【符号の説明】
【００２３】
Ｌ１…元売価ラベル、Ｌ２…値下げ価格バーコードラベル、１…バーコード、２…二段
バーコード、３…ラベル本体、４…目隠し部、５…視認情報、６，１０…切り取り線
【図１】
0005142761.tif 000002
【図２】
0005142761.tif 000003
【図３】
0005142761.tif 000004
【図４】
0005142761.tif 000005
【図５】
0005142761.tif 000006
【図６】
0005142761.tif 000007
【図７】
0005142761.tif 000008